(57)【特許請求の範囲】
【請求項１】
一組の電極77、78からなり、電気的パルスに対して応答性を有する神経に当該電気的パルスを与える刺激器23、当該電気的パルスに対する上記神経の応答を非観血的に検知するための検知器25、上記検知器で検知された上記神経の反応を血中被測定物質の濃度と相関づけるための制御器20、および制御器によって相関づけられたところに従って当該血中被測定物質の濃度を指示することに適した指示計を含む装置10。
【請求項２】
上記制御器が上記神経の上記検知された反応をある生理的血中被測定物質の濃度に相関づけることに適している請求項１記載の装置。
【請求項３】
上記制御器が上記神経の上記検知された反応をある非生理的血中被測定物質の濃度に相関づけることに適している請求項１記載の装置。
【請求項４】
上記刺激器23が上記電気的パルスを第一の神経に与えることに適し、上記検知器25が第二の神経の上記電気的パルスへの反応を検知することに適している請求項１記載の装置。
【請求項５】
上記刺激器23が上記電気的パルスを第一の神経に与えることに適し、上記検知器25が当該第一の神経の上記電気的パルスへの反応を検知することに適している請求項１記載の装置。
【請求項６】
上記被刺激神経または上記被検知神経への血流を一時的に阻止することに適した閉塞機構40を更に含む請求項１記載の装置。
【請求項７】
上記指示計が上記血中被測定物質の濃度を表示するのに適した出力装置22を含む請求項１記載の装置。
【請求項８】
上記出力装置22が視覚表示装置36からなる請求項７記載の装置。
【請求項９】
上記出力装置が上記血中被測定物質の濃度を指示するのに適した音響装置47からなる請求項７記載の装置。
【請求項１０】
上記電気的パルスが電流パルスである請求項１記載の装置。
【請求項１１】
上記電気的パルスが電圧パルスである請求項１記載の装置。
【請求項１２】
上記一組の刺激電極77、78が上記神経の刺激部位に近接して配置するのに適している請求項１記載の装置。
【請求項１３】
一組の上記刺激電極77、78が一個のカフ40に格納されている請求項１２記載の装置。
【請求項１４】
上記刺激器23が上記カフ40内に格納された温度感知器79を更に含む請求項１３記載の装置。
【請求項１５】
上記神経の上記電気的パルスへの応答が電気的応答信号であって、上記検知器25が当該電気的応答信号に感応性の検知電極85からなる請求項１３記載の装置。
【請求項１６】
上記検知器25が上記感応性神経の第二の部位に近接して配置するに適している請求項１５記載の装置。
【請求項１７】
上記刺激器23が、ある神経に既定の強度の電気的パルスを既定の持続時間加えるのに適した電極77、78とからなる請求項１記載の装置。
【請求項１８】
上記検知器25がある神経の上記電気的パルスに対する反応を非観血的に検知し電気的応答信号を発するのに適した検知器電極85からなる請求項１記載の装置。
【請求項１９】
上記制御器20が更に上記電気的パルスの強度と持続時間を制御するのに適している請求項１７記載の装置。
【請求項２０】
上記制御器20が上記応答信号をグルコース濃度に相関づけるのに適している請求項１９記載の装置。
【請求項２１】
上記刺激電極77、78が上記電気的パルスを第一の神経に加えることに適している請求項１７記載の装置。
【請求項２２】
上記検知器電極85が第二の神経の上記電気的応答を検知するのに適している請求項１８記載の装置。
【請求項２３】
上記刺激電極77、78が上記電気的パルスを第一の神経に加え、上記検知用電極85が上記第一の神経からの上記電気的応答を検知するのに適している請求項１７記載の装置。
【請求項２４】
上記検知器電極85が複数の検知電極からなることを特徴とする請求項１８記載の装置。
【請求項２５】
上記カフ４０が、上記神経が通っている使用者の指に装着するのに適している請求項１３記載の装置。
【請求項２６】
上記閉塞機構を提供するため、かつ上記刺激電極77、78を上記の指に密着せしめるため上記カフ40が加圧されるに適したものである請求項２５記載の装置。
【請求項２７】
上記検知用電極85が上記のカフ40に格納されている請求項１５記載の装置。
【請求項２８】
上記検知用電極85が上記神経組織が通っている上記使用者の手首に装着するために適したリストバンド41に格納されている請求項１５記載の装置。
【請求項２９】
複数の使用者作動用制御機構48をその上に持つ収納装置35をさらに含む請求項１記載の装置。
【請求項３０】
上記制御器20が上記刺激器及び上記検知器25と電気的に接続してあり、かつ上記収納装置35内に納めてあり、上記使用者作動用制御機構48に応答する請求項２９記載の装置。
【請求項３１】
上記刺激器23が上記制御器20と電気的に接続してあり上記制御器20からの刺激命令に応じて電気的衝撃を神経に加えるのに適している請求項３０記載の装置。
【請求項３２】
上記検知器25が上記神経の上記電気的衝撃に対する電気的応答を上記制御器20からの測定命令に応じて非観血的に検知し、かつ上記電気的応答を上記制御器20に提供するのに適しており、上記制御器20が上記電気的反応に特異的に血糖値を決定するため上記電気的応答に感応する請求項３１記載の装置。
【請求項３３】
上記刺激命令及び上記測定命令が使用者の測定制御機能の起動により上記制御器20によって発せられる請求項３２記載の装置。
【請求項３４】
上記装置10が最大の検知感度を喚起する刺激の強度を決定するため較正されている間、上記制御器20が上記刺激命令と上記検知命令を発生するのに適している請求項３２記載の装置。
【請求項３５】
収納装置35がモデム、コンピュータ及び記憶装置の少なくとも一つに連結している請求項２９の装置。
【請求項３６】
収納装置35が血糖値を視覚表示するのに適した表示装置36を含む請求項３２の装置。
【請求項３７】
収納装置35が血糖値を聴覚表示するのに適したスピーカー47を含む請求項３２の装置。
【発明の詳細な説明】
発明の属する技術分野
本発明は、一般に、ヒトの血液分析物をモニターする方法、特に、糖尿病患者のグルコース等の血液分析物をモニターするための非観血的血液分析物測定装置及び測定法に関する。
従来の技術
種々の病状の処置に関する選択肢の評価、及び意思決定をするためにリアルタイムな生理学的データを利用することは、患者と医療従事者の双方にとって魅力のある対象である。そうしたデータを非観血的な方法で得る技術は、患者の苦痛を最小限に留め、しかも感染性の雑菌混入をほとんど排除することが可能であるという点において殊に魅力があるものである。真性糖尿病のように頻繁なモニターを必要とする状況においてはこのような非観血的な技術が特に重要となる。
真性糖尿病は普通に見られる疾病であり、米国において１４００万人、先進諸国においてはそれに数倍する人々がこれに苦しめられている。糖尿病にはいくつかの異なった種類があるがいずれも代謝機能障害を伴う点において共通である。糖尿病体質の個人にあっては、血中のグルコース濃度の調節は正常な生理的作用に則って行われていない。特に、糖尿病患者は血糖値が高くなる傾向を示す。この状態は高血糖症と呼ばれ、インシュリンの欠乏、インシュリン・レベルの低下、またはインシュリンの働きに対する抵抗に起因する。真性糖尿病には心臓疾患、腎疾患、網膜症、神経障害を含む高度の病的状態が伴う。こうした合併症が患者本人と社会に及ぼす苦痛と損失には甚大なものがある。
真性糖尿病には治療法はないが、有効な処置方法は存在する。そうした処置の手法は全て、血糖値を正常な生理学的限度内に維持することを共通の目的としている。これは最も普遍的には食餌療法とインシュリン及び／または内用血糖降下剤のような薬物療法の組合わせによって達せられている。最近終了した「糖尿病の抑制と合併症に関する試験ＤＣＣＴ）」によれば、血糖値の正常化はその程度がどうであれ糖尿病に伴う長期的病状を軽減することが最終的に立証されている。こうした正常化に不可欠の要素の一つに血糖値を頻繁に測定することがある。集中的療法において血糖値の測定結果はインシュリンの投薬量を急激に変化させるために用いる。また、より長期的な療法においては測定結果を記録しておき、医師が各患者の治療計画を加減したり微調節したりする時の補助となる有用な情報源とする。
糖尿病患者が各自のグルコース値を自分でモニターする時の従来の方法は、体から取り出した体液を分析するものと、体液を必要としないものの二法に分かれる。これらはさらに観血的な技法と非観血的な技法に細分できる。観血的技法は皮膚壁を破ることを伴い、通常は患者から採った血液のサンプルを必要とする；一方、非観血的技法では皮膚壁を破ることを必要としない。
体液中のグルコース値を測定する方式は、大体においてグルコース酸化酵素の存在下における酸素によるグルコースの酸化に立脚している。グルコースの濃度はこの反応の特定の副生成物の量との相関によって求められる。最も一般的な測定対象は上記の酸化反応で生成する電気エネルギーであり、電極を用いて測定する。かかる手法は中村らに対する米国特許第４，３９２，９３３号、Ｃｅｒａｍｉに対する米国特許第４，４３６，０９４号、Ｂｅｓｓｍａｎらに対する米国特許第４，４３１，００４号の対象となっているものである。電気エネルギーはある種の電子装置で測定し、グルコース濃度に換算して表示する。
血液は標準的な体液として、糖尿病患者におけるグルコース濃度のグルコース酸化酵素に基く測定に用いられる。この手法の欠点は患者の血液サンプルを必要とすることから観血的であるところにある。サンプルは通常血管の良く発達した体組織、例えば指先等から小型のランセット（刺絡針）を用いて採取する。この施術は相当な痛みを伴うものであり、糖尿病患者の多くはこれを好まない。またこの方法は身体的苦痛に加え、指の先端に傷痕となって残ることがあり、感染症防止の観点からも望ましいことではなく、往々にして厄介でかつ不便な代物である。
最近に至り、非観血的に体液を採取する技法がいくつか提唱されている。例えば米国特許第５，１３９，０２３号には、皮膚または粘膜を経由して得た体液中のグルコース値を測定する一方式が述べられている。この方式及び類似のものの主たる欠点は、そのようにして得た体液の血中のグルコース濃度との相関には遅れがある上、相関が不定であるということにある。
以上に加えて体液をサンプルとしてグルコース値を測定する手法にはすべて、それぞれのサンプルが別個に使い捨ての試験片を必要とするという、共通した不利益がある。これは伝染性の物質の伝播を防ぐために必要なものである。しかし、こうした使い捨て器具は現今の血糖値モニタ技術の出費の主要な部分を占めているのである。かかる出費の影響で、糖尿病患者がその血糖値のモニターの頻度を抑えるということにもなりかねない。
体液に頼ったグルコース値測定方法における上記の諸障害が動機づけとなり、皮膚壁を破らず血糖値を非観血的に測定する装置への研究がこれまでもなされてきた。そうした考案物の例がＳｃｈｌａｇｅｒに対する米国特許第４，８８２，４９２号、及びＤｏｗｌｉｎｇに対する欧州特許第０  ２８２  ２３４  Ａ１号に記載のものであり、これら考案物は分離波長あるいは一つの連続した帯域の光線を当てて体組織に透過または反射させる方式である。その際の一連の吸収の測定結果からマイクロ・プロセッサがグルコース値を計算する。対象の体組織が指先や耳朶のように血管が良く発達したものであれば、上記によるグルコース値測定結果は血糖値を近似する。この手法にはしかし大きな欠点として、他の血液成分がグルコースと類似した吸収スペクトルを持つということがある。その結果、医療の実環境においては血糖値の正確な測定が困難となる。さらにこの方法の潜在的不利益としては、使用する光学技術が高価なものになる可能性が挙げられる。
血糖の異常値を測定するためのもう一つの考案物がTesterman，"Method of Measuring Blood Glucose Level by Sensing Evoked Action Potentials in Peripheral Nerve"，Research Disclosure 227: 92（March 1983）に開示されている。Ｔｅｓｔｅｒｍａｎの開示した装置は、血糖値が正常な場合と異常に高い場合の電気的刺激に対する神経の反応の差を検知することができる。かかる装置はしかし、体液に頼った血糖値測定方法におけると同様の欠点、すなわち観血的である（神経反応を調べるのに皮下注射用針を使用する）ということを有している。さらに、このような装置は神経における測定結果を特定の血中グルコース濃度値に相関づけることができず、単に血糖値が正常な場合と異常に高い場合の神経の反応の差が検知できるだけである。
発明の要約
本発明は、個人の血液中の分析が可能な成分（すなわち血液分析物）を非観血的に測定するための測定装置及び測定法をもたらすものである。対象とする血液分析物の濃度は刺激器で体内組織に刺激を加え、その刺激に対する反応を検知器で検知し、検知した体内組織の応答を相関計で分析物の濃度に相関づけることによって測定する。またオプションとして、刺激を与える体内組織及び／またはそれに応答する体内組織への血液の流れを阻止するための閉塞機構を備えている。測定の対象である分析物は血糖値のような生理学的分析物、またはコカインのように体内組織に影響を与える非生理学的分析物であっても良い。刺激を受ける体内組織は検出をする組織と同じであっても良いし、別の組織でも良い。
実施例の一つでは刺激器は体内組織に電気的刺激を加えるための少なくとも二つの刺激電極を含み、検知器は体内組織からの電気的刺激に対する電気的応答を検知し電気的応答信号を与える検知用電極を含む。同装置はさらに電気的刺激の強度と長さを制御し、応答信号を使用者の分析物濃度に相関づけるための制御装置を含む。
同装置はさらに使用者とモニターの相互作用を補助する一つ以上の入出力装置を備えることもできる。例えば、実施例の一つでは、英数字による表示が血液分析物の濃度を視覚による指示として使用者に与え、かつスピーカーが血液分析物の濃度を耳に聞こえる指示として使用者に与える。またキーボードを備えており、使用者がモニターのある種の操作を制御することができるようになっている。
刺激器と検知器を格納するための取り合わせとしては種々のものが可能である。刺激と検知の対象たる体内組織が共に正中神経である実施例の一つでは、刺激用電極と閉塞機構は同神経の第一の部位近くで使用者の指に固着せしめるのに適したカフに格納されている。一方検知器は、同神経の第二の部位近くの場所において使用者の手首に固着せしめるのに適したリストバンドに格納されている。
本発明を用いれば、例えば糖尿病患者におけるグルコース値のような個人の血液分析物濃度を、迅速かつ信頼性を持って測定するための測定装置及び測定法が可能になる。その上、こうした有利な特性は非観血的な方法で（すなわち皮膚壁を破ることなく）達成され、それにより使用者への身体的及び心理的苦痛、伝染性物質の伝播の可能性、及び不便は最小限にとどめられる。本願に記述する測定装置及び測定法は、体内組織の生理学的もしくは生化学的機能内での分析物依存の変化を活用し、ヒトにおける分析物濃度を非観血的に測定するものである。例えば、好ましい実施の形態の一つにおいて、使用者の血糖値の測定は正中神経のような末梢神経の電気生理学的機能における血中グルコース依存の変化を利用している。本質的には本願に記述する測定装置及び測定法は、末梢神経の一つを体内グルコースの検知器として用いるものである。この故に本装置は人工の検知器を個人の身体内に取り付けたり、当人の体液を採取したりすることを必要としない利点を有するのである。
本発明がさらに有利である点は、その測定の過程で使い捨ての器具を要しないことである。したがって毎回の試験片の出費は除外でき、その結果のコスト減は各個人による分析物測定の頻度の促進という付加効果を生む。なおかつ本発明が有利である点は、高価な構成部品を避け、入手が容易なアナログ及びディジタル電子装置を使用していることである。さらに本発明の有利な点はその使用が容易であることである。これはソフトウェアを基盤とした制御器を採用し、使用者の専門知識の必要性を最低限に留めていることによる。
【図面の簡単な説明】
本発明それ自体ならびに本発明の既述の特長点については、以下に掲げる本発明の詳細説明からより完全な理解が得られるものと考えられる。
図１は本発明による非観血的血液分析物測定システムのブロック図であり；
図２は図１記載の分析物測定システムの実施形態の一つの線図であり；
図３は図２記載の分析物測定システムの略図であり；
図４は本発明の刺激器と閉塞機構を格納する説明としてのカフの図示であり；
図５は本発明の検知器を格納する説明としてのリストバンドの平面図であり；
図５Ａは図５記載の格納部の側面の部分断面図であり；
図６は本発明の検知器の略図であり；
図７は血液分析物測定処理の流れ図であり；
図８Ａは血糖値測定処理の流れ図の前半部分であり；
図８Ｂは図８Ａ記載の流れ図の後半部分であり；
図９は種々の刺激レベルに対応する複合活動電位の波形を示し；そして
図１０は条件づけした複合活動電位波形を示す。
好ましい態様の説明
まず図１において、本図は使用者の体内組織３０との通信により血液分析物の濃度を測定する血液分析物測定システム１０を示す。この分析物測定システム１０には、刺激２８を制御器２０の制御下で体内組織３０に加えるための刺激器２３が付属している。同じく備わっているのが検知器２５であり、これは刺激２８に対する体内組織の応答信号２７を検知するものである。検知された体内組織３０による応答信号２７は相関計が後述の要領で使用者の分析物濃度に相関づけ、その相関値に応じて分析物濃度を指示する指示計が備わっている。
測定対象の血液分析物は分析が可能なすべての血液成分であって、血糖値のような生理学的分析物、またはコカインのように体内組織に影響を与える非生理学的分析物であってもよい。制御器２０は記憶した命令を実行し、アナログならびにディジタル信号を生成及び処理し、計算を実行し、後の検索に備えてデータを保存する能力を有するものであり、例えば本願で実施例として示すマイクロ・コントローラや、あるいはパーソナル・コンピュータ等様々な形態を取りうる。
刺激２８は応答信号２７を検知するのと同じ体内組織に加えても良い。しかしまた別法としては刺激２８を最初の体内組織に加え、応答信号２７はその刺激に応答する第二の体内組織で検知しても良い。
一般的に、体内組織３０はある種の神経、筋肉その他の組織であって、加えられた刺激２８に対し分析物濃度の関数として検知可能な応答２７を発生する何らかの感応性の組織である。本願に記述する実施例においては体内組織３０は神経であり、モニターする血液分析物はグルコースである。またこの要領で使用する神経の代表的なものとしては正中神経または尺骨神経が挙げられる。神経のグルコース濃度は、神経３０と連絡する血管３１内の血糖値と定常状態の関係にあることが観察されている。神経３０はそれが低酸素状態にされた時、その中のグルコース濃度（すなわち［Ｇｌｕ］nerve）に見合う電気的活性を示す。特に、神経３０がその低酸素状態の部位に加えられた電気的刺激２８に対してする応答は、同神経が低酸素状態となる以前の神経グルコース濃度の特性を備えている。この種の刺激を繰返して加え、それに関連する神経の応答を測定することにより、高度の正確性をもって血糖値を推定することができる。
より詳細には、体内血中グルコース用体内センサー及び非観血的血中グルコース測定測定器具としての抹消神経３０の本願に記述するような有用性は、以下を含む末梢神経の生物学的特性のいくつかに依拠している：
1.末梢神経におけるグルコース濃度は、神経性または神経グルコース濃度といい、血糖値と直接的関係がある。
2.低酸素（すなわち体組織への酸素の供給が非常に低いか無である）状態においては、神経の電気生理学的機能は神経グルコース濃度と比例する。
3.末梢神経の電気生理学的機能は非観血的に測定が可能である。
前記の三つの特性を用い、低酸素状態にある末梢神経の非観血的な電気生理学的測定結果の集合を、以下に説明する方法によってその個人の血糖値に換算する。
既述のように、末梢神経内のグルコース濃度は血糖値と定常状態にある。換言すれば、神経グルコース濃度は血糖値と直接に比例する。たいていの他の組織とは異なり、末梢神経においては上記の関係はインシュリンに左右されない。さらに血糖値における変化は神経グルコース濃度における同様の変化となって現れる。定常状態は血糖値における変化の後１０分以内という速さで再び定着する。したがって神経グルコース濃度の測定値は信頼性が高く、比較的迅速な血糖値の指針となる。
末梢神経は、何万という数の軸索と呼ばれる個別の伝達繊維からなる。ヒト及び大多数の脊椎動物における末梢神経系（ＰＮＳ）は、その長距離信号伝達システムとしての正常な機能の維持のため、多量の生化学的エネルギーを必要とする。このエネルギーは、組織内に遍在するアデノシン三リン酸（ＡＴＰ）分子のリン酸基の加水分解によって主に引き出される。軸索は二つの生化学的プロセスを経てそのＡＴＰの補給をする：すなわち、酸化的リン酸化反応と解糖作用である。こうした二つのプロセスがそれぞれ異なった条件下で支配的となり、異なる量のＡＴＰとある種の代謝副産物を生成する。有酸素性の条件、すなわち十分な酸素の存在下では、ＡＴＰはグルコースの分解を経た酸化的リン酸化反応と脂肪酸の分解により効率良く生成される。無酸素性の条件、すなわち十分な酸素の欠乏下では、ＡＴＰはグルコースの単純な分解で充分生産されない。さらに、このプロセスの副産物として乳酸が生成し、軸索の細胞内酸性化を招き、その結果軸索のｐＨが低下する。
無酸素性の条件は、酸素やグルコースその他の栄養が届けられる血管を閉塞することによって末梢神経に外部的に課すことが可能である。閉塞は上下肢共その表層の神経について閉塞機構２４、例えば圧迫帯２４を使用者の腕や指のような末端部に巻き付けることによって達成する。圧迫帯２４の使用は、圧迫帯を妥当な時間内（例えば４５分）に緩める限り神経３０や他の組織を害することはない。
閉塞機構２４は神経３０に酸素と栄養を供給する血管３１を取り囲む組織を圧迫するものであり、例えば図２及び図４に示し以下に説明するような空気圧式カフ等、種々の形態を取りうる。同閉塞機構２４は、血流を遮るタイミングと長さを所定のプロセスに従って決定する制御器２０が制御する。
解糖作用は神経グルコース濃度に厳密に依存する。したがって、軸索がＡＴＰレベルを維持し、低酸素状態で細胞内酸性化を防ぐ能力は神経グルコース濃度にかかっている。この様な低酸素状態の間、軸索は追加のグルコースを得られない（あるいは極く少量しか得ない）ため、この期間中の解糖の効率は低酸素状態が起こる以前の神経グルコース濃度に依存する。その上、各軸索の電気生理学的特性はＡＴＰ及びｐＨの低下と共に変化するので、その結果神経全体としての電気生理学的特性は並行した様式で影響を受けることになる。
軸索繊維はインパルス伝導組織であり、その中ではインパルスが主要な信号単位を代表している。本発明によれば、そのインパルス、すなわち全か無かの伝導にかかわる活動電位と呼ばれる電気化学的事象は刺激２８を用いた電気的刺激により人工的に開始する。したがって、実施例においては刺激２８は電極７７、７８（図４）が印加する電気パルス刺激としている。末梢神経３０、もしくはより一般的な表現をすれば、感応性のある何らかの体内組織を刺激するための刺激２８のその他の形態としては磁気的刺激、光学的刺激、その他の形態の電磁エネルギー刺激（例えば高周波）、知覚の刺激（例えば振動、温度、または圧力）、無機あるいは有機化学物質の使用（例えばナトリウム、神経伝達物質、麻酔剤）、もしくは生物学的物質の使用（例えば蛋白質、核酸ＤＮＡ／ＲＮＡ）がある。
実施例において、刺激器２３は神経３０に直接かぶさる皮膚表面３２に物理的に接触する少なくとも二つの刺激電極７７、７８（図４）と、電流発生器からなる。電流は最低２個の比較的近接した電極間を流れる。電気的パルス刺激２８は実施例におけるような電流パルスでも、あるいは電圧パルスでも良く、以下に説明する要領で所定のプロセスに従って刺激２８の長さと大きさを決定する制御器２０が制御する。
刺激２８の電流の大部分は皮下の神経３０に進入することなく刺激電極７７、７８間を直接通過するが、その一部は神経に進入し、構成している軸索繊維を刺激する。刺激される繊維の本数は、電流の大きさと共に繊維のある種の幾何学的及び生物物理学的特性に左右される。一般的に、刺激電流と活性化される軸索との関係はＳ字型関数となる。刺激された軸索繊維のそれぞれはほとんど同時に活動電位を発生し、それを刺激点から両方向に伝播する。
検知器２５は、刺激を受けた全ての軸索繊維からの複合活動電位（ＣＡＰ）と呼ばれる輻輳した応答信号２７を受けるものであり、種々の形態を取りうる。この目的のため、検知器２５には例えば図５における２個の検知用電極８５のように、神経３０に直接かぶさる皮膚表面３２に物理的に接触する一つ以上の検知用電極を含める。検知器２５は刺激を加える部位に、またはその代わりに刺激点から少しく離れた部位に配置しても良い。例えば、被刺激体内組織と被検知体内組織３０を共に正中神経から取っている場合、図２に示すように、刺激器２３は組織の最初の部位に隣接して使用者の指に、そして検知器２５は組織の第２の部位に隣接して使用者の手首に配置しても良い。
複合活動電位の振幅は刺激を受けた軸索繊維の数を表す尺度である。既述のように、軸索の電気物理学的特性はＡＴＰ濃度及びｐＨの低下によって変化する。中でも最も重要な影響は軸索の一つを刺激するに要する電流の増加となって現れる。したがって、ＡＴＰとｐＨにおける変化は複合活動電位の振幅及びその他のパラメータに反映することとなる。そうした変化は低酸素状態下の神経グルコースに依存するものであるため、複合活動電位は神経グルコース濃度の伝達器の役を果たすのである。
検知器２５はさらに応答信号２７（図６）を増幅し処理する電子回路を備えており、応答信号２７を分析物の濃度に相関づけることで判断する制御器２０に接続している。例えば血糖値モニター・システム１０の場合では、制御器２０は検知した応答信号２７のある種の特徴を、所定の機能を基礎として以下に説明するように血糖値と相関づける。
応答信号が制御器２０によって分析物濃度の表示に変換された後、この情報は例えば血液分析物の濃度を視覚による指示として使用者に与える英数字表示、または同濃度を耳に聞こえる指示として与えるスピーカーのようなユーザ出力装置２２によって使用者に提供される。また同時に備えてあるのは制御器２０につながる一つ以上のユーザ入力装置２１であって、ユーザがモニター１０と対話できる手段を提供する。例示してある入力装置はキーボード３７（図２）である。
次に図２に関して言及すれば、同図はオプションの閉塞機構２４を利用する本分析物測定装置またはモニター１０の実施例の一つを示し、これには本体ユニット３５、カフ４０、及びリストバンド４１が付属していることを示している。カフ４０は刺激器の電極７７、７８（図４）と圧迫帯２４を格納し、リストバンド４１は検知器２５を格納する。ここで、刺激器２３、閉塞機構２４及び検知器２５の物理的な取り合わせとして種々の異なった方法があり得ることは当業者の了解するところであろう。どのような実施の形態にも必須である制約事項は、刺激器電極７７、７８（図４）、圧迫帯２４及び検知器電極８５（図５）が、目的の体内組織（含複数）と相互作用をするために適切である解剖学的部位（含複数）で使用者に接触することである。例えば、代案として、刺激器電極７７、７８、圧迫帯２４及び検知器電極８５は使用者の手の輪郭に合った、剛性のある手袋の中に格納しても良い。この方法では上記構成部品を図２にあるのと同じ解剖学的関係で配置することになる。
モニター・システム１０に使用するもう一つの配列は、刺激器電極７７、７８、圧迫帯２４及び検知器電極８５をすべて図２におけるカフ４０のようなカフに格納してしまうことである。この場合、検知は刺激部位の直近で行われることになる。尚、例えば最初の体内組織が刺激され、その刺激に対する応答が第二の体内組織で検知されるような仕組みの代替実施例においては、使用者に関連して刺激器電極７７、７８、圧迫帯２４及び検知器電極８５を配置するに際し数多の他の取り合わせが可能であり、これらは全て本発明の精神の範囲内である。
本体ユニット３５にはユーザ入力装置２１（図１）、ユーザ出力装置２２（図１）さらに入力及び／または出力装置として作動する追加の機能を含み、これら全てを一括してユーザ・インタフェース装置と総称する。そのような入力装置の一つがキーボード３７であり、それには使用者が作動可能な複数の操作機構を含み、その操作をすることで使用者は命令やメッセージを本体ユニット３５に送ることができる。使用者が作動可能な操作機構としては英数字キー４８と、例えば較正と測定手順の実行をさせるＭＥＡＳＵＲＥ（測定）命令キー、あらかじめ保存してあった測定値をモデムを介して遠隔地へ送信させるＳＥＮＤ（送信）命令キー、ならびに分析物測定の行程を終了させるＨＡＬＴ（停止）命令キーのような所定のシステム命令を入力するための命令キー４９が付属しており、これらについては以下図７、８Ａ及び８Ｂに関連してさらに詳細説明する。尚キーボード３７には視覚障害者を補助するための点字の浮き彫りを施しても良い。
ユーザ出力装置２２（図１）の一方式としては、分析物濃度や使用者向けのその他のメッセージを表示する、英数字による液晶ディスプレー装置３６の形態がある。もう一つの出力装置２２としてはスピーカー４７があり、特に視覚障害者等、モニター１０を使用中の個人に聴覚による有用なフィードバックを提供する。
その他の追加のユーザ・インタフェース装置は、分析物濃度モニター１０の機能を拡張するものである。具体的には、直列インタフェース・ポート４４はパーソナル・コンピュータとの通信を可能にするものである。不揮発性メモリ・カートリッジ用のメモリ・インタフェース４５は本装置のデータ保存とソフトウェア処理能力を向上する。電話用ジャック４６を用いればデータを電話回線で伝送することができ、遠隔地にあるコンピュータを使った分析物測定値の自動記録や、離れた場所にいる医師等に分析物測定値を伝えることが可能になる。
本体ユニット３５は箱状の覆い４２に格納してある。２本の可撓性のコネクタ３８と３９が、本体ユニット３５をそれぞれカフ４０とリストバンド４１に接続する。カフ４０を本体ユニット３５に接続するケーブル３８は、可撓性で気密なゴムチューブから成り、これを介して圧迫帯２４が室内空気による膨張及び収縮をする。コネクタ・ケーブル３８にはまたチューブに取り付けられた４本の絶縁電線が付属している。これら電線はカフ４０内に位置する刺激器電極７７、７８（図４）への刺激用電流を通じ、また同じくカフ４０内に位置する温度センサー７９（図４）からの温度信号を伝達するためのものである。検知器２５を本体ユニット３５と接続するケーブル３９は一群の絶縁電線から成る。これらの電線は検知器２５が測定した応答信号２７を入手し、またリストバンド４１（図６）内の検知器２５の電子回路に電力を供給する手段となる。
次に図３に関して言及すれば、ここでは本体ユニット３５の略図を示す。ここに説明する実施例では、制御器２０は例えばモトローラ社のＭ６８ＨＣ１６のようなシングルチップ・マイクロコントローラである。シングルチップまたはマルチチップの他のマイクロコントローラを代わりに使用しても良い。マイクロコントローラ２０にはランダムアクセス・メモリ、読出し専用メモリ、複数のアナログ・ディジタル変換器、及び複数の入出力配線が付属していることが望ましい。
上記マイクロコントローラ２０は、読出し専用メモリに保存してあるソフトウェア・プログラムに従って稼動する。同プログラムは分析物濃度測定のプロセスを実行し、ユーザ・インタフェース装置を制御し、かつ診断テストを実行する。マイクロコントローラ２０が担当する機能は、本体ユニット３５のインタフェース・カートリッジ・スロット４５に差し込んで使用する、後づけの不揮発性メモリ・カートリッジを用いて拡張しても良い。
マイクロコントローラ２０は、英数字用ディスプレー装置３６、キーボード３７及びスピーカー４７を含むユーザ・インタフェース装置に接続する。より詳細に述べれば、英数字用ディスプレー装置３６はマイクロコントローラ２０上の一群のディジタル出力信号５０に連結し、かつその制御を受ける。ディスプレー装置３６の表示内容は、マイクロコントローラ２０におけるディジタル出力信号５０の状態を調節する制御器２０が決定する。表示されるメッセージの例としては血糖値や測定の状態が含まれる。
キーボード３７は一群のディジタル入力信号５７をマイクロコントローラ２０に与えるものである。これら信号５７のロジック・レベルはキーボード３７上で押された特定のキーに対応している。制御器２０は適正なディジタル入力信号５７を監視することによってどのキーが押されているかを判断する。
マイクロコントローラ２０の出力信号の一つは増幅器６１の入力となり、そこでスピーカー４７を駆動する。制御器２０が出力ピンのロジック・レベルを所定の高低周波数間で振動させることによって任意の周波数の音を発生させる。
本体ユニット３５は圧迫帯２４内の空気圧を制御する手段となる。本体ユニット３５の好ましい実施の形態においては、空気ポンプ６５が空気入口６６から入る室内空気を圧送することにより、圧迫帯２４に連絡するチューブ６７内の圧力を上昇させる。空気ポンプ６５への動力は、マイクロコントローラ２０上の単一のディジタル出力ラインが起動信号を与えるソリッドステート・リレー５８が制御する。同時に圧力変換器６８が膨張下のチューブ６７内の圧力を検出する。この圧力は圧迫帯２４内の圧力、すなわち使用者の指を圧迫しているそれと等しい。変換器６８はこの圧力に比例したアナログ信号を発生させる。同信号はＤＣ増幅器６０で増幅され、マイクロコントローラ２０上のアナログ・ディジタル変換器によってディジタル信号に変換される。このディジタル信号を制御器２０が解析する。空気スイッチ６９は、マイクロコントローラ２０上の単一のディジタル出力ラインから起動信号を受けるソリッドステート・リレー５９が制御している。空気スイッチ６９が開放にされた時、連絡チューブ６７内、すなわち圧迫帯２４内の圧力はスイッチ６９を経由し、空気出口７０から外部へと急速に逃がされる。制御器２０は、変換器６８で検出する圧迫帯２４内の圧力があらかじめ決定されている設定値を超えるまでは空気ポンプ６５を動かすことによって圧迫帯２４内の圧力を調節する。測定時間が終了するか、または操作者が［ＨＡＬＴ］命令キー（図２）を押した時、制御器２０は、空気スイッチ６９への動力を選択的に接続または遮断する出力信号を賦活して圧迫帯２４の圧力を開放する。
本体ユニット３５は、カフ４０内の温度センサー７９（図４）が発する直流アナログ信号を処理する。この温度信号はＤＣ増幅器５４で増幅され、その後マイクロコントローラ２０上のアナログ・ディジタル変換器でディジタル化される。このディジタル信号を制御器２０が解析する。
刺激発生器５６は、カフ４０内に位置する刺激器電極７７、７８（図４）を介して流し、電気的に体内組織３０を刺激するための、精密で負荷に非依存の低電流信号２８（図１）を発生させる。この刺激発生器５６は０ないし１０ミリアンペアの電流パルスを０．１から１０００ミリ秒周期で発生させる能力を持つ。同電流パルスの振幅は、例えばＭａｘｉｍ  ＭＸ７５２０のようなディジタル・アナログ変換器５５が、マイクロコントローラ２０からのディジタル信号に応じて発生するアナログ信号で制御する。制御器２０はこれら出力信号のロジック・ステートを設定することにより、刺激２８のパルス持続時間とパルス振幅を調節する。刺激発生器５６は絶縁増幅器（図示されていない）を用いることでその出力段を本体ユニット３５の電源から分離させている。ここで刺激発生器５６が上記の機能を達成するためには数多の異なった実施の形態があり得ることは了解されるところであろう。例えば、テキサス・インスツルメント社のＴＬ７８３Ｃのような３端子アジャスタブル・レギュレータを調節可能な電流源として用い、刺激を加えることもできる。
本体ユニット３５はコネクタ３９を介して検知器２５からの応答信号を受け取る。例えばバー・ブラウン社のＩＳＯ１００光カップリング型線形絶縁増幅器のような絶縁増幅器５３が、本体ユニット３５と使用者の皮膚に直接接触している検知器２５との間の高圧バッファーとなる。その通過帯域がおよそ２０ヘルツから２０キロヘルツである帯域通過フィルター５２が、末梢神経からの信号を最も検知し易い周波数域を外れた応答信号２７の周波数成分を除外する。プログラム可能なゲイン増幅器５１で、そのゲインがおよそ１０から５００の間でプログラムできるものが、マイクロコントローラ２０内のアナログ・ディジタル変換器によるディジタル化に先行するソフトウェア制御による増幅の最終段となる。増幅器５１のゲインはマイクロコントローラ２０の出力信号のロジック・レベルによって決められる。ゲインは、測定対象の応答信号２７の振幅をマイクロコントローラのアナログ・ディジタル変換器における最適ディジタル化域（例えば±５ボルト）に維持するべく、制御器２０が調節する。
次に図４に関して言及すれば、ここでは圧迫帯２４と刺激器電極７７、７８を格納するカフ４０（図２）の実施の一例を使用者の指８０との関連において示している。圧迫帯２４は薄く固い筒状のプラスチック覆い７５に格納してあり、伸展性があり４００ミリ水銀までの圧力を維持できる気密のゴムでできた、引き伸ばしたドーナツ状の嚢７６を含む。嚢７６の外面は覆い７５の内面に接着してある。刺激器電極７７及び７８ならびに温度センサー７９は嚢７６の内側の表面上にある。説明にある実施例において刺激器電極７７及び７８は、例えば白金、イリジウム、またはその他の金属あるいは合金等のような、耐食性の導電性物質でできた薄い円盤である。刺激器電極７７及び７８の大きさと形は使用者の指８０の寸法（例えば大人と子供の違い）によって異なることがあり得る。通常刺激器電極７７及び７８はおよそ１センチメートルの直径を有する。単一の絶縁電線が嚢７６の中を通り刺激器電極７７及び７８に接続している。この電線はコネクタ３８を経由して本体ユニット３５に至り、そこで刺激発生器５６に行き当たる。温度センサー７９は、例えばアナログ・デバイシス社のＡＤ５９０ソリッドステート温度センサーのように、温度に依存したアナログ信号を発生する何らかの装置であれば良い。２本の電線が温度センサー７９がコネクタ３８につながり、後者はさらに本体ユニット３５につながっている。
嚢７６は本体ユニット３５（図３）内に位置する空気入口６６からコネクタ３８を通じて送られる室内空気で急速に膨張する。カフ４０は剛性のある材質７５に格納されているため、嚢７６は内側に向かって膨張し、その結果使用者の指８０を圧迫する。嚢のこのような内向きの膨張は二つの結果を引き起こす。まず圧迫の度合いと共に指８０の内部の圧力が増加する。嚢の圧力が十分に高くなると指８０内の組織の圧が収縮期圧を超え、その結果指８０の圧迫されている部分及びその遠位（すなわち指先に向かう方向）への動脈血流を一時的に遮る。次に、刺激器電極７７及び７８と温度センサー７９は嚢７６の内側に位置しているため、嚢の膨張によってこれらの要素が使用者の指８０にしっかりと付着することが保証される。しかしながら嚢７６は電極７７及び７８と皮膚との適当な接触を強いるためにその最大圧力までも膨張させる必要はない。刺激器電極７７及び７８を指８０に密着させることが重要なのは、そのことが電極の皮膚への接触に関わるインピーダンスを低下させ、その結果下に横たわる神経４３（図２）を刺激するために電極間に樹立しなければならない電圧を下げるからである。さらに、この配置は電極皮膚間インピーダンスの測定中の指８０の動きによって起こり、対策なしでは分析物測定の質を低下させる結果となりかねないバラツキを最低限に留める役割を果たす。
刺激器電極７８は陰極７８であり活性電極としての役を果たすもので、他方刺激器電極７７は陽極７７であり基準電極として働く。陰極７８を図４に示すように近位に配置する理由は、最適な神経刺激と記録は活性電極が記録する電極に最も近接している時に得られるからである。この装置においては記録用電極８５は手首に配置した検知器２５の中に位置する。刺激発生器５６が生成した電流が陰極７８と陽極７７の間を通過した時、その一部が神経４３を通過し、電極７７及び７８の下にある神経４３を刺激する。
次に図５と５Ａに関して言及すれば、ここではリストバンド４１の視点を変えた見取り図を示してある。具体的に言えば、図５はリストバンド４１の平面図であり、図５Ａは側面図であり、その中に格納される検知器２５は薄く、リストバンドに腕時計ようの外観を与えていることを例示している。リストバンド４１はプラスチック製の覆い８６と、帯８８とから成る。覆い８６は検知器電極８５と検知回路９２の支持構造の役を果たす。検知器電極８５は例えば白金、イリジウム、またはその他の金属あるいは合金等のような、高度の導電性と耐食性を有する金属でできた短冊である。検知器電極８５の正確な寸法は使用者の身体的寸法（例えば大人対子供、あるいは男子対女子の違い）によって異なる。検知器電極８５のそれぞれは、リストバンド４１内の回路基板上に取り付けた検知回路９２に１本の電線９１で接続している。
この電線９１は長さが２、３ミリ以下の短いものであり、以下に説明する応答信号２７のバッファリングに先立ち雑音の採取を最小限にするために絶縁を施してある。帯８８は使用者の手首の皮膚への検知器電極８５の密着を確実にするためのものである。帯８８の両端は短いベルクロTM片８７を取り付けてあり、同部品の着脱を容易にしてある。また同部品の一方の端には導電性材料８９（例えば白金またはイリジウム）の短冊が配置してあり、これは基準電極としての役を果たす。帯８８を手首に巻き付けベルクロTM片８７を締めた時、基準電極８９は手首の背中側の皮膚に接触するが、同個所は神経４３（図２）からは基準として機能するに十分なだけ離れている。検知器２５の応答信号出力はバッファーされ増幅されたアナログ信号であり、実際の神経信号を表現しており、コネクタ３９を経由して本体ユニット３５に送られる。コネクタ・ケーブル３９はまた検知回路９２に電力を供給する電力信号を伝達する。
次に図６に関して言及すれば、ここでは検知器２５の略図を検知回路９２と検知器電極８５を含めて示している。検知回路９２は高インピーダンスの電極・皮膚接触を緩衝し応答信号２７を予備増幅する手段となる。皮膚・電極接点のインピーダンスは一般にかなり高い。多くの状況において（例えば筋電図記録等）、導電性のゲルを皮膚と検知電極の間に介在させてこのインピーダンスを低下させている。しかしながら本発明で説明する器具はかかるゲルを必要としないものである。本実施例においてインピーダンス問題の恐れは、実際の検知部位から僅かに離れたところで検知器電極８５が検知した応答信号２７をバッファーすることによって克服している。感覚神経から検知される信号は通常はマイクロボルトの単位であり、総体的にかなり弱いことから、信号対ノイズ比の低下を防ぐためには応答信号２７は本体ユニット３５に転送する前に予備増幅しておいた方が有利である。
より詳細には、検知回路９２には２本の検知器電極８５間における電位の差に比例する出力信号を発生する計測器用増幅器９５が付属している。検知器電極８５は短い絶縁電線９１で計測器用増幅器９５に接続している。応答信号２７がマイクロボルト単位で、かつ電極・皮膚接点のインピーダンスが非常に高いところから、ＦＥＴ入力の計測器用増幅器、例えばバー・ブラウン社のモノリシックＩＣによるＩＮＡ１１１等を使用することが有利であり、同型の場合非常に高い入力インピーダンス（１０12オーム超）、低いバイアス電流（２０ピコアンペア未満）、そしておよそ１１５デシベルのコモンモード阻止比を持っている。例えばゲインがおよそ１０００である増幅器は、電極８５で検知したマイクロボルト・レベルの応答信号２７をミリボルトの台に増幅し、これによって種々の形のノイズへの感度を落すものである。
計測器用増幅器９５の出力はハイパス・フィルター９６でフィルターにかけ、直流成分を除去する。検知器２５へのコモンモード基準９７は、基準電極８９での信号を仮想接地回路９８経由でバッファリングすることにより獲得する。検知器２５の出力は処理された応答信号９９であり、本体ユニット３５に転送され、そこで絶縁増幅器５３（図３）によって絶縁される。検知器２５への電力は本体ユニット３５内に位置する絶縁電源から供給する。以上の故に検知器２５は本体ユニット３５への外部電源からは電気的に分離されている。
発明の作用
ここで図７を参照しつつ、モニター１０の多段階操作を説明する。モニター１０の操作は、手順１００において当該器具を使用者の適切な解剖学的部位（複数も可）に配置することで開始する。正中神経４３が体内グルコース・センサーとして機能する、図２の説明にある実施例においては、図２及び図４に示すようにカフ４０の中に中指（第３指）または人差し指（第２指）を入れる。信号対ノイズ比は次の二つの位置決めの原則を守ることで最大化する。まず、カフ４０は指の先端ではなく、なるべく指の付け根に近いところに位置させる。第２に、その指の腹側の面が図４にあるように刺激器電極７７及び７８に接するようにする。リストバンド４１を２本のベルクロTM片８７を帯８８のどちらかの端にくっつけて手首に固定する。好ましい実施の形態の一つにおいては、リストバンド４１は手首の正中部に配置し、それによって検知する応答信号２７を最大にする。尚、代替策としてはカフ４０を第４指または第５指に装着し、リストバンド４１を内側（ないそく）の位置に置くことによって尺骨神経を使用した血糖値の測定も可能である。その他の末梢神経、例えば下肢の末梢神経も上肢の利用が不適当であるか、不可能な時に使用して良い。ここでモニター１０の電源を入れる。
使用者は、例えば本体ユニット３５（図２）にあるキーボード３７上で、［ＭＥＡＳＵＲＥ］命令キーのような適切なキーを作動させる手順１００によりモニター１０の操作を開始する。モニター１０は毎回の使用に先立って較正しなければならない。この操作は使用者が［ＭＥＡＳＵＲＥ］命令キーを作動し、分析物の測定を開始した時に実行される。
上記の較正操作は手順１０４で実行するが、較正の目的は最適な刺激レベルを決定することである。例えば血糖値モニターの実施例では、較正手順１０４はある神経を種々の異なる振幅の刺激で数回刺激し、検知した神経信号に応じて、以下に図８Ａ、８Ｂ及び９との関連において説明するような最大の神経信号応答を呼び起こすことのできる刺激の振幅を決定することを含む。
手順１０４における較正行程が不首尾に終わった時、例えば応答信号２７に関連する信号対ノイズ比が最適刺激振幅を決定するには低すぎるといった場合、使用者はその状況の通知を手順１０８で受ける。このようなエラーは重い疾患のある神経からの応答信号の検知を試みた時に発生する可能性がある。このあと較正操作手順１０４は使用者が作動する命令によって繰返されるか（すなわち使用者による［ＭＥＡＳＵＲＥ］命令キーの作動）、またはその代わりにモニター作業は終了させられる（すなわち使用者による［ＨＡＬＴ］命令キーの作動）。
較正が首尾良く終了すると、その組織への血流を閉塞して刺激を与える体内組織及び／または検知をする体内組織を低酸素状態にするオプションの手順１１２を実行しても良い。説明にある血糖値モニターの実施例では、この手順はカフ４０内で圧迫帯２４を膨張させることを伴う。圧迫帯２４の膨張は既述の説明の通り、制御器２０（図３）がリレー５８を作動させて実行される。繰り返すと、リレー５８の作動に応えて室内の空気が圧迫帯２４と連絡があるチューブ６７に送り込まれ、それにより圧迫帯を膨張させて神経４３への血流を遮り、同時に刺激器電極７７及び７８（図４）が使用者の指としっかり接触しているようにする。
手順１１６では制御器２０（図１）と関係するタイマーを初期化する。このタイマーは引き続く手順１２０における分析物の測定作業の種々の段階のタイミングを決定する。例えば、このタイマーで刺激を与える体内組織をどれだけ長く低酸素状態にしておくか、体内組織へ刺激を加えている時間、与えられた刺激に対する体内組織の応答を検知するタイミング、等を決定する。
このあと、処理手順１２０において分析物の測定を実施する。より詳細に述べれば手順１２０は、較正作業で決定した特性での刺激を所定の持続時間体内組織に加え、その刺激に対する被刺激、あるいは別の体内組織の応答を検知し、さらに以上の刺激と検知の段階を所定の繰返し率で、所定の持続時間中繰り返すという多段階のサブステップを包含している。更に、検知した応答信号あるいはそれら信号を代表するパラメータ類を、モニターによる後の利用に備えて保存する。手順１２４では閉塞機構を開放し、それによって刺激を加えられた体内組織及び／または応答を示している体内組織への血流を再開する。
閉塞機構を開放した後、モニター１０は手順１２８で検知した応答信号を分析物濃度に変換する。この手順は、例えば検知した応答信号の抽出パラメータを含むベクトルの正規化、および正規化したベクトルとベクトル相関係数との乗算というような種々のサブステップを包含しており、これらについては後に図８Ａ及び図８Ｂ記載の、神経応答信号をグルコース濃度に変換するプロセスに関連してさらに詳細説明する。
最後に、以上のようにして求めた分析物濃度を手順１３２で使用者に表示する。この表示は、例えば図２に示したディスプレー装置３６のような英数字用ディスプレー、または測定分析物の聴覚による指示のためのスピーカー４７を用いて実現できる。さらに手順１３２で提供する表示は遠隔表示、例えばモデムと電話用ジャック４６（図２）を介した遠隔地の医師向けの表示であっても良い。あるいはまた手順１３２による表示は、モニター１０の測定プロセス完了後のある時点で使用者または医師のいずれかに提供するための、例えば測定後の分析物濃度を本体ユニット３５に付属の記憶装置、または図２のシリアル・ポートを介して本体ユニット３５と通信状態にあるパーソナル・コンピュータの記憶装置に保存させることによって実現が可能な類の遅延表示であっても良い。分析物モニター１０の操作は、手順１３６において図示の通り終了させられる。
図８Ａ及び図８Ｂについて、ここでは既述の血糖値モニター１０の操作についての説明的な流れ図を示している。一連のプロセスは、既述のように手順１５０で使用者の適切な解剖学的部位にカフ４０とリストバンド４１（図２を取り付けることで開始する。その後手順１５１で、キーボード３７（図２）が制御器２０の監視下に入る。
手順１６１では［ＨＡＬＴ］命令を受け取ったかどうかを決定する。モニター１０の操作中はいつでも、キーボード３７（図２）の［ＨＡＬＴ］命令キーを作動させるとモニターの作業は中断し、手順２００（図８Ｂ）に進んで操作を終了する。手順１５７では［ＳＥＮＤ］命令を受け取ったかどうかを決定する。モニター１０の操作中はいつでも、［ＳＥＮＤ］命令キーを作動させると、それまでに保存していた測定値を電話用ジャック４６とモデムを経由して遠隔地へ送信する。
手順１５２では図２記載のキーボード３７における［ＭＥＡＳＵＲＥ］命令キーの作動に対応して、［ＭＥＡＳＵＲＥ］命令を受け取ったかどうかを決定する。もし［ＭＥＡＳＵＲＥ］命令を受け取ったことを確認すると、モニター１０は手順１５３で指の温度を測定する。もし温度が許容限度内（例えば室温との差が数度以内であること）になければ使用者には手順１５４で通告し、キーボード３７を使用者の手順１５１における操作に備えて監視する。もし手順１５３で温度が許容限度内にあることを確認すると、モニター１０は手順１５５から１６６にかけて較正作業を実施する。特に手順１５５では、例えば図２の正中神経４３のような神経を刺激２８（図１）で刺激し、加えられた刺激に対する正中神経４３の応答信号２７を検知し、同応答信号２７をディジタル化して保存する。より詳細には、既述のように刺激発生器５６（図３）が制御器２０からのディジタル信号に対応して刺激信号２８を発生させる。刺激２８はコネクタ３８を経由して刺激器電極７７、７８（図４）に伝達される。刺激信号の一例は、パルス化した電流波形で持続時間がおよそ２００マイクロ秒のものである。刺激信号の振幅は、例えば３ミリアンペアのように予め定めた値に設定しておく。
加えられた刺激信号２８に応じて正中神経４３が発生させた応答信号２７は検知器電極８５（図５及び５Ａ）が検知し、これを複合活動電位（ＣＡＰ）と称する。図９は３．３ミリアンペアの刺激信号２１２に応じて検知されたＣＡＰ  ２１０の説明図である。検知されたＣＡＰ  ２１０はマイクロコントローラ２０（図３）がディジタル化してランダムアクセス・メモリの専用の区域に保存する。
処理手順１５６では、検知されたＣＡＰ  ２１０が所定レベル以上の信号対ノイズ比を有しているかどうかを判断する。既述のように、ある状況のもとでは（例えば疾病のある神経）呼び起こされたＣＡＰは信号対ノイズ比が劣っている。当該ＣＡＰの信号対ノイズ比が所定の基準以下であった場合、その神経は手順１５８で繰り返し刺激される。より具体的には、手順１５８において、神経は毎秒およそ２ないし４回の率で同一の刺激を所定の時間にわたって加えられる。この繰返しの刺激によって引き起こされ検知されたＣＡＰ反応を平均して一つの平均ＣＡＰとなし、これを以下手順１６２との関連において説明するようにディジタル化し、これからパラメータを抽出して保存する。
もし手順１５８の処理をしても検知されたＣＡＰの信号対ノイズ比が所定の基準以上にならなかった場合、手順１６３において、例えば英数字用ディスプレー装置３６等、何らかの使用可能な出力装置によるエラーメッセージが操作者に呈示される。その後キーボード３７を使用者の手順１５１における操作に備えて監視する。例えば、使用者は［ＭＥＡＳＵＲＥ］命令キーを再度押し、較正作業を再試行しても良い。
手順１５６において検知したＣＡＰの信号対ノイズ比が受容できると判断された場合（すなわち当初から受容可能であったか、手順１５８で改善されたかで）、次に処理手順１６２が実行され、この段階でマイクロコントローラ２０がディジタル化したＣＡＰ波形から所定の信号パラメータを抽出し、それを保存する。抽出保存する波形パラメータの代表的なものとしては当該ＣＡＰのピークピーク値（すなわち振幅の最大点と最小点との差）、ＣＡＰ下部の合計面積、ＣＡＰの幅、それにＣＡＰの潜伏期間（すなわち神経への刺激信号の印加からＣＡＰの出現までの間隔）等である。抽出したパラメータは、マイクロコントローラ２０に付属する記憶装置に保存する。
次に処理手順１６４が実行され、ここにおいて刺激対象の神経が異なった振幅の刺激を所定の数だけ加えられたかどうかが判断される。神経が所定の刺激を受けていないと判明すれば、処理手順１５５が異なった振幅を用いて繰り返される。そのようにして喚起されたＣＡＰ  ２１８を図９に示す。例示している血糖値測定プロセスにおいては、較正作業中神経に加えられる刺激の所定数は３であり、それぞれの振幅は３．３、３．８、及び５ミリアンペアである。すなわちこの例では手順１６４で神経が上記３刺激をまだ受けていないことが判明し、その結果手順１５５が３．８ミリアンペアの振幅を持つ刺激２１６を用いて繰り返され、得られたＣＡＰ  ２１８をディジタル化し、そのパラメータを保存する。手順１６４を２度目に実行した後、３度目の処理手順１５５が繰り返され、その段階で５ミリアンペアの振幅を持つ刺激２２２が神経に加えられ、検知したＣＡＰ  ２２４はマイクロコントローラ２０がディジタル化し、保存する。この３段階に増加する振幅での刺激信号２１２、２１６、及び２２２による神経の刺激（すなわち手順１５５の繰返し）は、おおよそ５ないし１０秒毎の追加で行なうことが望ましい。
神経が異なった振幅の刺激を所定の数だけ加えられ、それによって喚起されたＣＡＰの処理を終了しパラメータを保存したら、次に処理手順１６６を実行し、そこで最適刺激振幅を決定する。より具体的には、喚起できる最大のＣＡＰのほぼ５０％のＣＡＰを引き起こす電気的刺激信号の大きさを確定する。この刺激信号をＩ50%刺激信号といい、これを分析物濃度の測定に際し標準刺激として用いる。最大喚起可能ＣＡＰの他の部分数を最適刺激振幅とすることも可能であるが、末梢神経の電気生理学的特性における比較的小さな変化がＩ50%刺激信号で喚起されたＣＡＰには大きな変化となって現れることから、５０％を採用した。
上記の最大喚起可能ＣＡＰは、刺激の大きさを増加してもピークピーク値が増加しなくなる点として求められる。この値は実際に最大刺激（使用者にとって不愉快である可能性がある）を用いなくとも、最大値未満の刺激、例えば振幅が３．３、３．８、及び５ミリアンペアのそれぞれ刺激信号２１２、２１６、及び２２２からのＣＡＰのピークピーク値を外挿することによって推定することができる。一度最大のＣＡＰピークピーク値が求まれば、その５０％の振幅とそれに伴う刺激（すなわちＩ50%刺激）は測定値を内挿することによって容易に確定する。
次に処理手順１７０が実行され、ここでＩ50%刺激信号を毎秒およそ２ないし４回の率で所定の時間、刺激器電極７７、７８（図４）を用いて繰返し神経に加え、ＣＡＰ応答信号を検知器電極８５（図５及び５Ａ）で検知することによって、Ｉ50%刺激が喚起したＣＡＰのピークピーク値を測定する。手順１７０ではまた、こうして得たＣＡＰ応答信号をディジタル化し、平均化する。最後に処理手順１６２との関連において既述のように、平均波形のパラメータを抽出し、後で正規化測定に用いるため保存する。より具体的には、これ以降の応答信号の大きさは手順１７０で検知した応答の部分比として表現する。
一度Ｉ50%刺激信号と応答が手順１６６と手順１７０でそれぞれ確定し、保存されたら、較正作業は終了し、モニター１０は使用者の血糖値の測定段階に進む。このため手順１７２が次に実行され、この中で神経４３（図２）が圧迫帯２４の急速な膨張によって低酸素状態にされる。血流を遮るのに要する圧迫帯の圧力は、この圧力を圧迫帯２４の幅、使用者の指の直径、使用者の収縮期圧と関連付ける公表された方式に従って予め決定しておく。上記公表された方式とは以下に掲げる記事に所載のものであって、ここに参照することにより本願に援用する：
a）"The digital tourniquet: How safe is it?" by J．D．Luban，J．Koeneman，and K．Kosar，Journal of Hand Surgery，5:664-669(1984)b)
"Newfinger cuffs for use with digital tourniquets" by J．A．McEwen，P．T．Gropper，and R．W．McGraw，Journal of Hand Surgery，6:888-892（1988）
圧迫帯２４が所定の圧力設定点に達した時、マイクロコントローラのタイマーが手順１７４で初期化される。これ以後の電気刺激と神経信号の測定は暫定的にこのタイマーに従って計画する。
圧迫帯２４が膨張し神経が低酸素状態にされている数分間に、神経機能の一連の電気生理学的測定結果が手順１７６から１８４によって取得される。最初の測定に先立ち、手順１７５において６０秒の待機時間を置き低酸素状態を有効化させる。処理手順１７６においては、Ｉ50%刺激信号を刺激器電極７７、７８（図４）を用いて神経に加え、ＣＡＰ応答信号を検知器電極８５（図５及び５Ａ）で検知することによって、低酸素状態の間Ｉ50%信号が喚起したＣＡＰのピークピーク値を測定する。手順１７６ではまた、こうして得たＣＡＰ応答信号をディジタル化する。もしこうして得たＣＡＰの信号対ノイズ比が低ければ、神経は毎秒およそ２ないし４回の率で同一の刺激を所定の時間にわたって加えられる。この繰返しの刺激によって引き起こされ検知されたＣＡＰ反応を平均化して一つの平均ＣＡＰとなし、ディジタル化する。最後に上記単独または平均ＣＡＰから、処理手順１６２との関連において既述のようにパラメータを抽出して保存する。
引き続く手順１７８ではまず６０秒の待機期間を置き、その後条件付きＣＡＰ（すなわち条件なしＣＡＰの条件付きＣＡＰ振幅に対する比）を手順１８０で求める。図１０に則して説明するならば、この比率は図に示すように、Ｉ50%刺激２０２を神経に加え、引き続いて約５００ミリ秒後にＩ50%刺激のおよそ１．５ないし５倍の大きさを持つ条件付け刺激２０４を加え、さらにもうひとつのＩ50%刺激２０６を条件付け刺激２０４の約５ミリ秒後に加えることによって得る。最初のＩ50%刺激２０２から起こるＣＡＰの標識を２０８とし、刺激２０４及び２０６から起こるＣＡＰの標識を２０９とする。
もし条件付き、または条件なしいずれかのＣＡＰの信号対ノイズ比が低い時は三つの刺激の順序を、ほぼ１秒に１回の率で所定の時間繰り返す。こうした繰返し刺激が喚起し、検知された条件付き及び条件なしＣＡＰ応答を平均し、これを平均条件なしＣＡＰ及び平均条件付きＣＡＰとする。単独または平均の条件なしＣＡＰ２０８の持つピークピーク値の標識をａ1とし、単独または平均の条件付きＣＡＰ２０９の持つピークピーク値の標識をａ2とする。したがって手順１８０の決定の対象である、条件なしＣＡＰの条件付きＣＡＰに対する比はａ1／ａ2で与えられる。この比率は手順１８０で保存する。
血糖値を決定するための好ましいプロセスにおいては、手順１７６から１８０にかけての測定は６０秒ごと交替で４分間行なう。このため手順１８０で条件なしＣＡＰの条件付きＣＡＰに対する比を求めた後、６０秒の待機時間を手順１８２で置く。その後手順１８４において、手順１７４でタイマーが起動して以来４分間が経過したかどうかを判断する。もし４分間が経過していればＣＡＰの測定は終了し、その後手順１８６−１９０によって結果を処理し、使用者の血糖値に相関づける。その代わり４分間がまだ経過していない時は、処理手順１７６−１８２を繰り返す。ここで、本願で記述する測定プロセスには、例えば測定の間隔の変更（すなわち例示している６０秒間隔に対し、例えば４５秒または９０秒毎とする等）、測定時間の変更（すなわち例示している４分に対し、例えば２分または５分とする等）、あるいは測定の種類の変更（すなわちＩ50%刺激信号及び／または条件付きＣＡＰプロセス以外の手順を用いる）等により容易に変更がなされ得ることは当業者の了解するところであろう。したがって例示している手順への変更は予期のことであり、本発明の範囲内のことである。
手順１８４において４分間が経過したと判断され、それによって測定が終了したことが示されたら、圧迫帯２４は手順１８５で速やかに収縮させる。これはマイクロコントローラ２０が開放リレー５９の起動により実施し、圧迫帯２４内の空気は出口７０から逃がされる。
その後、手順１８６から１９０で、マイクロコントローラ２０が使用者の血糖値を決定するための相関関数を用いることにより、電気生理学的な神経の測定値全体が血糖値に変換される。すなわち手順１８６において、手順１７６と１８０でそれぞれ検知したＩ50%ＣＡＰ波形と条件付きＣＡＰ波形から生成した一つ以上の抽出パラメータを含む測定値のベクトル配列”ｍ”が生成される。測定値のベクトル”ｍ”は低酸素状態における神経機能の暫定的な標本を表現している。前述の測定過程の結果として成立した測定値ベクトルは、したがって式（１）に示すように４個の特定の測定値から成る：
m=[a60，a180，b120，b240]          （１）
各測定値の秒数によるタイミングは添字で指定してある。例えばａ180は低酸素状態の始まりから３分後のＩ50%ＣＡＰ応答の振幅を代表し、ｂ120は低酸素状態の始まりから２分後のＩ50%ＣＡＰ応答における条件なし対条件付き比を代表する。尚、本願では測定値ベクトルは検知したＣＡＰ応答の振幅を含むものとして記述しているが、潜伏期間及び／または幅といった他のＣＡＰパラメータを測定値ベクトルとして用いても良い。
測定値ベクトルの要素は神経機能の絶対尺度（例えばＩ50%刺激に対してのＣＡＰ）を代表するものであるが、個人間の末梢神経機能における天然の変動要因や、特定の個人について長い間に起こりうる変化（例えば老化によるもの等）を最小限にするために正規化するものとし、その結果式（２）に示す正規化測定値ベクトルを得る：
0003876331.tif 000002
ここに、Ｎは総合的正規化関数を表す。具体的な正規化の手順は測定値の特定の種類に依存する。例えば低酸素状態におけるＩ50%刺激信号に呼応するＣＡＰのピークピーク値（すなわち[a60、a180］）であれば、低酸素状態前のＩ50%応答のピークピーク値（処理手順１７０で得られるもの）で除して相対値
0003876331.tif 000003
を得る。一方条件なし対条件付きＣＡＰ比（すなわち[b120、b240]）の場合は既に相対値であるので正規化は必要でない。
正規化した測定値のベクトル、
0003876331.tif 000004
は下式（３）に示すようにある関数、Ｆ、に従って血糖値に変換される：
0003876331.tif 000005
上記の関数、Ｆ、は線形または非線型の分析関数であり得るし、あるいは人工の神経ネットワークによって計算しても良い。大抵の個人にあっては血糖値は電気生理学的測定値の総体に線形に関連付けられる。換言すれば［glucose］bloodは下式（４）に示すように
0003876331.tif 000006
の線形の関数である：
0003876331.tif 000007
ここにＴはベクトルの転置行列を表す。
式（４）を用いて、手順１７６から１８０の装置で達成した電気生理学的測定値を同時進行の血糖値に迅速かつ確実に変換する。これは、相関係数のベクトル配列c=[c1,c2,c3,c4］に測定値ベクトルの転置行列を乗じて、手順１９０で実行する。
血糖値が上記の手法で決定したらその値は、例えば英数字用ディスプレー装置３６（図２）のようなユーザ出力装置２２（図１）で使用者に呈示する。
ここで、相関係数のベクトル配列、c=［c1,c2,c3,c4］、は予め決定しマイクロコントローラ２０内部の不揮発性記憶域に格納してあることを注記しておく。このベクトルは正規化した測定値のベクトル、
0003876331.tif 000008
が特徴づけるある低酸素状態の神経の電気生理学的機能からの血糖値、[glucose]blood、への対応関係を代表しているものである。より具体的には、式（４）における相関係数ベクトル、ｃ、は正常及び糖尿病体質の個体群における血糖値（［glucose］blood）と神経機能
0003876331.tif 000009
の同時測定による多数の測定値の組から成る、あるデータベースの統計的解析から得ている。血糖値は一般に受け入れられている信頼性のある標準手法で決定している。現在のところ最も正確な測定は、専門の臨床試験所で熟練した担当者が静脈血を用いて行っているものである。電気生理学的神経機能の測定は本発明の機器を用いて実施した。
最適な相関係数（すなわち式４における[c1,c2,c3,c4］）は、重回帰分析またはその他の多次元最適化手法（例えばモンテ・カルロ法によるシミュレーションや人工神経ネットワーク）を、血中グルコースとＣＡＰパラメータの同時測定による前記データベースに適用して決定した。
仮に複数の個人からデータベースを得ることができれば、特定の個人における追加の血糖値と電気生理学的機能の同時測定値に基いて、その個人だけのために相関係数を更に改善することが出来る。また代案として前記データベースを例えば年齢、性別、糖尿病の種類、といった糖尿病人口の特性、及びユーザの特性にしたがって選定をするための何組かの相当する係数によって区分することも出来る。相関係数のこの種の”チューニング”はごく少数の個人のグループにしか必要がない。上記のように、相関係数は式（４）に従って血糖値をリアルタイムで計算するため、マイクロコントローラ２０内部の不揮発性記憶に格納してある。係数はメモリ中の値を置き換えることでいつでも更新することが可能である。
以上本発明の好ましい実施の形態について説明したが、それぞれの着想を統合した他の形態の実施があり得ることは当業者の了解するところであろう。
したがって、本発明は添付の請求の精神と範囲によってのみ制約されるべきである。
【図１】
0003876331.tif 000010
【図２】
0003876331.tif 000011
【図３】
0003876331.tif 000012
【図４】
0003876331.tif 000013
【図５】
0003876331.tif 000014
【図５Ａ】
0003876331.tif 000015
【図６】
0003876331.tif 000016
【図７】
0003876331.tif 000017
【図８Ａ】
0003876331.tif 000018
【図８Ｂ】
0003876331.tif 000019
【図９】
0003876331.tif 000020
【図１０】
0003876331.tif 000021